(57)【要約】      （修正有）【課題】積分球を搭載した光学測定装置並びに光コネクタの極性及びタイプの特定及び損失測定を提供する。【解決手段】光学測定装置１００は、異なる波長領域で光応答する少なくとも２つの光検波器１０４を含む。光学測定装置は、光ファイバケーブルの光ファイバから発信された１つ以上の光信号を受信する。光学測定装置は、光検波器の応答領域が１つ以上の光信号の波長を含む対応する光検波器によって行われた測定に基づいて、１つ以上の光信号の光強度又は損失を判定する。光学測定装置は、１つ以上の光信号がセンサ１０６に衝突した１つ以上のそれぞれの位置を判定する。光学測定装置は、１つ以上の光信号の１つ以上の位置及び１つ以上又は送信位置の両方に基づいて、光ファイバケーブルの極性をそれぞれ判定する。【選択図】図２
2018194540.tif 000002
【特許請求の範囲】
【請求項１】
光ファイバケーブルの複数の光ファイバのうちの１つ以上の光ファイバからそれぞれ発信された１つ以上の光信号を受信するように構成された積分球と、
前記積分球内に位置付けられた第１の光検波器であって、前記第１の光検波器が、第１の波長領域で光応答し、前記１つ以上の光信号のうちの少なくとも１つの光信号を受信し、前記少なくとも１つの光信号を表す第１のデータを出力する、第１の光検波器と、
前記積分球に光結合され、前記１つ以上の光信号を受信し、前記１つ以上の光信号が前記センサに衝突した、１つ以上のそれぞれの位置を表すデータを出力するように構成されている、センサと、
前記第１の光検波器及び前記センサに結合されたプロセッサであって、
前記第１のデータを前記少なくとも１つの光信号を表すデータとして受信し、
前記少なくとも１つの光信号を表す前記データに基づいて、前記少なくとも１つの光信号と関連付けられた光強度を判定し、
前記１つ以上の位置を表す前記データを受信し、かつ
前記１つ以上の位置を表す前記データに基づいて、前記光ファイバケーブルの極性を判定するように構成されている、プロセッサと、を備える、光学測定装置。
【請求項２】
前記プロセッサが、前記少なくとも１つの光信号の光送信強度と前記少なくとも１つの光信号の前記判定された光強度との差に基づいて、前記少なくとも１つの光信号と関連付けられた光損失を判定するように構成されている、請求項１に記載の光学測定装置。
【請求項３】
前記プロセッサが、
前記１つ以上の光信号が前記センサにそれぞれ衝突した、前記センサに関連する１つ以上の位置を判定し、
前記センサに関連する前記１つ以上の位置に基づいて、前記１つ以上の光信号の１つ以上の受信位置をそれぞれ判定し、
前記１つ以上の光信号が前記センサにそれぞれ衝突した順序を判定し、かつ
前記順序及び前記１つ以上の受信位置に基づいて、前記光ファイバケーブルの前記極性を判定するように構成されている、請求項１に記載の光学測定装置。
【請求項４】
前記プロセッサが、
前記１つ以上の光信号が前記センサにそれぞれ衝突した、前記センサに関連する１つ以上の位置を判定し、
前記センサに関連する前記１つ以上の位置に基づいて、前記１つ以上の光信号の１つ以上の受信位置をそれぞれ判定し、かつ
前記１つ以上の光信号の前記１つ以上の受信位置及び１つ以上の送信位置に基づいて、前記光ファイバケーブルの前記極性をそれぞれ判定するように構成されている、請求項１に記載の光学測定装置。
【請求項５】
前記プロセッサが、前記１つ以上の光信号の固有のシグニチャに基づいて前記１つ以上の送信位置をそれぞれ特定するように構成されている、請求項４に記載の光学測定装置。
【請求項６】
前記積分球内に位置付けられた第２の光検波器であって、前記第２の光検波器が、前記第１の波長領域とは異なる第２の波長領域で光応答し、前記第２の光検波器が、前記１つ以上の光信号のうちの前記少なくとも１つの光信号を受信し、前記少なくとも１つの光信号を表す第２のデータを出力するように構成されている、第２の光検波器を備え、
前記プロセッサが、前記第２の光検波器に結合され、
前記プロセッサが、前記第２のデータを前記少なくとも１つの光信号を表すデータとして受信するように構成されている、請求項１に記載の光学測定装置。
【請求項７】
前記プロセッサが、少なくとも、
前記少なくとも１つの光信号を表す前記第１のデータに基づいて、第１の光強度を特定することと、
前記少なくとも１つの光信号を表す前記第２のデータに基づいて、第２の光強度を特定することと、
前記第１の光強度が前記第２の光強度より大きいときに、前記第１のデータを選択し、前記第２の光強度が前記第１の光強度より大きいときに、前記第２のデータを選択することと、によって、前記第１のデータ及び前記第２のデータのうちの１つを、前記少なくとも１つの光信号を表すデータとして選択するように構成されている、請求項６に記載の光学測定装置。
【請求項８】
前記プロセッサが、少なくとも、
前記１つ以上の光信号の波長の表示を受信することと、
前記波長が前記第１の波長領域又は前記第２の波長領域内にあるかどうかを判定し、
前記波長が前記第１の波長領域内にあるときに、前記第１のデータを選択し、前記波長が前記第２の第１の波長領域内にあるときに、前記第２のデータを選択することと、によって、前記第１のデータ及び前記第２のデータのうちの１つを、前記少なくとも１つの光信号を表す前記データとして選択するように構成されている、請求項６に記載の光学測定装置。
【請求項９】
前記センサが画像センサであり、前記光学測定装置が前記光ファイバケーブルの光コネクタを照明するための光を発するように構成された照明源を更に備え、
前記画像センサが、前記照明された光コネクタの画像を捕捉し、かつ前記画像を出力するように構成されており、
前記プロセッサが、前記画像を受信し、かつ前記画像を解析するように構成されている、請求項１に記載の光学測定装置。
【請求項１０】
前記画像を解析することが、前記画像に基づく前記光コネクタの汚染レベル、及び前記画像に基づいて特定された前記光ファイバケーブルの端面の数又は前記端面の配置に基づく前記光コネクタのタイプのうちの少なくとも１つを判定することを含む、請求項９に記載の光学測定装置。
【請求項１１】
前記プロセッサが、前記１つ以上の光信号のうちの１つの光信号の受信位置と前記光信号の対応する送信位置との間のオフセットに基づいて、前記光ファイバケーブルの前記極性を判定するように構成されている、請求項１に記載の光学測定装置。
【請求項１２】
前記積分球内にピンホールに光結合された近位端を有するチャンバを更に備え、前記センサが前記チャンバ内に配設されている、請求項１に記載の光学測定装置。
【請求項１３】
前記積分球内の前記ピンホール上に位置決めされたレンズを更に備える、請求項１２に記載の光学測定装置。
【請求項１４】
光ファイバケーブルの複数の光ファイバのうちの１つ以上の光ファイバからそれぞれ発信された１つ以上の光信号を受信することであって、前記１つ以上の光信号が各々波長を有する、受信することと、
画像センサによって、前記１つ以上の光信号の１つ以上の画像を捕捉することと、
前記１つ以上の画像に基づいて、前記１つ以上の光信号の１つ以上の受信位置をそれぞれ判定することと、
前記１つ以上の光信号の前記１つ以上の受信位置及び１つ以上の送信位置の両方に基づいて、前記光ファイバケーブルの極性をそれぞれ判定することと、
１つ以上の光検波器を使用して、前記１つ以上の光検波器のうちの少なくとも１つによって出力された光強度を表すデータに基づいて、前記１つ以上の光信号の前記光強度又は損失を判定することと、を含む、方法。
【請求項１５】
前記光強度又は損失を判定することが、
前記波長が前記１つ以上の光検波器のうちの第１の光検波器の第１の光応答領域内にあるときに、前記第１の光検波器によって出力された前記光強度を表すデータに基づいて、前記１つ以上の光信号の前記光強度又は損失を判定することと、前記波長が前記１つ以上の光検波器のうちの第２の光検波器の第２の光応答領域内にあるときに、前記第２の光検波器によって出力された前記光強度を表すデータに基づいて、前記１つ以上の光信号の前記光強度又は損失を判定することと、を含み、前記第１の光応答領域及び前記第２の光応答領域は異なる、請求項１４に記載の方法。
【請求項１６】
前記第１の光検波器によって出力された前記光強度を表す前記データに基づいて、第１の光強度を判定することと、
前記第２の光検波器によって出力された光強度を表す前記データに基づいて、第２の光強度を判定することと、
前記第１の光強度が前記第２の光強度より大きいときに、前記波長が前記第１の光検波器の前記第１の光応答領域内にあると判定し、前記第１の光検波器によって出力された前記光強度を表す前記データに基づいて、前記１つ以上の光信号の前記光強度又は損失を判定することと、
前記第２の光強度が前記第１の光強度より大きいときに、前記第２の光検波器によって出力された前記光強度を表す前記データに基づいて、前記１つ以上の光信号の前記光強度又は損失を判定することと、を含む、請求項１５に記載の方法。
【請求項１７】
前記１つ以上の光信号の前記波長の表示を受信することを含む、請求項１５に記載の方法。
【請求項１８】
前記波長が前記第１の光応答領域内にあるときに、前記第１の光検波器に、前記光強度を表すデータの測定又は出力を停止するように命令することと、前記波長が前記第２の光応答領域内にあるときに、前記第２の光検波器に、前記光強度を表すデータの測定又は出力を停止するように命令することと、を含む、請求項１７に記載の方法。
【請求項１９】
前記１つ以上の受信位置を判定することが、
前記１つ以上の画像に基づいて、前記１つ以上の光信号が前記画像センサにそれぞれ衝突した、前記画像センサに関連する１つ以上の位置を判定することと、
前記画像センサに関連する前記１つ以上の位置に基づいて、前記１つ以上の受信位置を判定することと、を含む、請求項１４に記載の方法。
【請求項２０】
前記光ファイバケーブルの光コネクタを照明するための光を発することと、
前記照明された光コネクタの画像を捕捉することと、
前記画像を解析して、前記光コネクタの汚染レベルを判定することと、を含む、請求項１４に記載の方法。
【請求項２１】
前記光コネクタを解析することが、前記画像に基づいて特定された端面の数又は前記端面の配置に基づいて、前記光コネクタのタイプを判定することを含む、請求項２０に記載の方法。
【発明の詳細な説明】
【技術分野】
【０００１】
本出願は、光コネクタの極性、光信号の損失、光コネクタの汚染、及び／又は光コネクタのタイプを判定するための光学測定装置を対象とし、具体的には、積分球及び複数の光検波器を搭載した光学測定装置を対象とする。
【背景技術】
【０００２】
光信号強度及び／又は光アレイ極性を測定する従来の装置は、光アレイの各光ファイバに個別に結合された光学検出器を利用している。従来の装置はアレイの各光ファイバを介して送信された光信号の光強度を測定するために使用され得る。しかしながら、強度測定値を得るために、装置を各光ファイバに個別に結合しなければならないため、時間を要する。
【０００３】
いくつかの従来の装置には複数のセンサが搭載されており、これにより各センサがアレイのそれぞれの光ファイバから受信された光信号を捕捉する。これらの装置が適切に機能するためには、センサが光ファイバとそれぞれ整列しなければならない。マルチファイバプッシュオン（ＭＰＯ）コネクタなどの光アレイコネクタがジェンダー固有（例えば、ピン付き又はピンなし）であるため、装置をコネクタに取り付けて整列させるために、ジェンダー対応装置が必要となる。したがって、光アレイ上で実地試験を実施する作業者は、両方のジェンダー用に複数の装置を携帯しなければならないことがある。ジェンダーを逆にするためのパッチコードの代替使用は、測定結果にアーチファクトをもたらし、測定結果をより不確実にする可能性がある。更に、これらの装置は一定のサイズの光アレイ（光ファイバの行又は列の特定数を有する）にのみ利用可能である。これらの装置は、光ファイバの行又は列の数に関して、装置がその数専用に設計されていなければ、多くの市販のアレイを試験するために使用することができない。
【先行技術文献】
【特許文献】
【０００４】
【特許文献１】特開２００６-７１５１０号公報
【発明の概要】
【０００５】
一実施形態では、光学測定装置は、光ファイバケーブルの複数の光ファイバのうちの１つ以上の光ファイバからそれぞれ発信された１つ以上の光信号を受信するように構成された積分球と、積分球内に位置付けられて第１の波長領域で光応答する第１の光検波器と、を含み、第１の光検波器は、１つ以上の光信号のうちの少なくとも１つの光信号を受信し、少なくとも１つの光信号を表す第１のデータを出力するように構成されている。一実施形態では、光学測定装置は、積分球内に位置付けられ、第１の波長領域とは異なる第２の波長領域で光応答する第２の光検波器を含み、第１の光検波器は、１つ以上の光信号のうちの少なくとも１つの光信号を受信し、少なくとも１つの光信号を表す第２のデータを出力するように構成されている。一実施形態では、光学測定装置は、積分球に光結合され、１つ以上の光信号を受信し、１つ以上の光信号がセンサに衝突した１つ以上のそれぞれの位置を表すデータを出力するように構成されたセンサを含む。一実施形態では、光学測定装置は、光検波器及びセンサに結合され、少なくとも１つの光信号を表す第１のデータ及び第２のデータを受信し、少なくとも１つの光信号と関連付けられた光強度を判定するために、第１のデータ及び第２のデータのうちの１つを選択し、選択された第１のデータ及び第２のデータのうちの１つに基づいて、少なくとも１つの光信号と関連付けられた光強度を判定し、１つ以上の位置を表すデータを受信し、１つ以上の位置を表すデータに基づいて、光ファイバケーブルの極性を判定するように構成されている、プロセッサを含む。
【０００６】
一実施形態では、プロセッサは、少なくとも、少なくとも１つの光信号を表す第１のデータに基づいて、第１の光強度を特定することと、少なくとも１つの光信号を表す第２のデータに基づいて、第２の光強度を特定することと、第１の光強度が第２の光強度より大きいとき、第１のデータを選択すること、第２の光強度が第１の光強度より大きいとき、第２のデータを選択することと、によって、第１のデータ及び第２のデータのうちの１つを選択するように構成されている。
【０００７】
一実施形態では、プロセッサは、少なくとも、１つ以上の光信号の波長の表示を受信することと、波長が第１の波長領域又は第２の波長領域内にあるかどうかを判定し、波長が第１の波長領域内にあるときに、第１のデータを選択することと、波長が第２の第１の波長領域内にあるときに、第２のデータを選択することと、によって第１のデータ及び第２のデータのうちの１つを選択するように構成されている。
【０００８】
一実施形態では、プロセッサは、少なくとも１つの光信号の光送信強度と少なくとも１つの光信号の判定された光強度との差に基づいて、少なくとも１つの光信号と関連付けられた光損失を判定するように構成されている。一実施形態では、プロセッサは、１つ以上の位置に基づいて、１つ以上の光信号がセンサにそれぞれ衝突した、センサに関連する１つ以上の位置を判定し、センサに関連する１つ以上の位置に基づいて、１つ以上の光信号の１つ以上の受信位置をそれぞれ判定し、１つ以上の光信号がセンサにそれぞれ衝突した順序を判定し、順序及び１つ以上の受信位置に基づいて、光ファイバケーブルの極性を判定するように構成されている。
【０００９】
一実施形態では、プロセッサは、１つ以上の位置に基づいて、１つ以上の光信号がセンサにそれぞれ衝突した、センサに関連する１つ以上の位置を判定し、センサに関連する１つ以上の位置に基づいて、１つ以上の光信号の１つ以上の受信位置をそれぞれ判定し、１つ以上の光信号の１つ以上の受信位置及び１つ以上の送信位置に基づいて、光ファイバケーブルの極性をそれぞれ判定するように構成されている。
【００１０】
一実施形態では、プロセッサは、１つ以上の光信号の固有の特徴に基づいて、１つ以上の送信位置をそれぞれ特定するように構成されている。一実施形態では、センサは画像センサであり、光学測定装置は、光ファイバケーブルの光コネクタを照明するための光を発するように構成された照明源を更に含み、画像センサは、照明された光コネクタの画像を捕捉し、画像を出力するように構成されており、プロセッサは、画像を受信し、画像を解析するように構成されている。
【００１１】
一実施形態では、画像を解析することが、画像に基づく光コネクタの汚染レベル、及び画像に基づいて特定された光ファイバケーブルの端面の数又は端面の配置に基づく光コネクタのタイプのうちの少なくとも１つを判定することを含む。一実施形態では、プロセッサは、１つ以上の光信号のうちの１つの光信号の受信位置と対応する光信号の送信位置との間のオフセットに基づいて、光ファイバケーブルの極性を判定するように構成されている。
【００１２】
一実施形態では、プロセッサは、受信位置が対応する送信位置と同じである場合、極性を第１のタイプであると判定するように構成されている。一実施形態では、プロセッサは、受信位置が対応する送信位置の対ごとの配列転置である場合、極性を第２のタイプであると判定するように構成されている。一実施形態では、プロセッサは、受信位置が対応する送信位置に関連する配列転置である場合、極性を第３のタイプであると判定するように構成されている。
【００１３】
一実施形態では、方法は、光ファイバケーブルの複数の光ファイバのうちの１つ以上の光ファイバからそれぞれ発信された１つ以上の光信号を受信することを含み、１つ以上の光信号が波長を有する。一実施形態では、方法は、１つ以上の光信号の１つ以上の画像を捕捉することと、１つ以上の画像に基づいて、１つ以上の光信号の１つ以上の受信位置をそれぞれ判定することと、１つ以上の光信号の１つ以上の受信位置及び１つ以上又は送信位置の両方に基づいて、光ファイバケーブルの極性をそれぞれ判定することと、を含む。一実施形態では、波長が第１の光検波器の第１の光応答領域内にあるときに、方法は、第１の光検波器によって出力された光強度を表すデータに基づいて、１つ以上の光信号の光強度又は損失を判定することを含み、波長が第２の光検波器の第２の光応答領域内にあるときに、方法は、第２の光検波器によって出力された光強度を表すデータに基づいて、１つ以上の光信号の光強度又は損失を判定することを含み、第１の光応答領域及び第２の光応答領域は異なる。
【００１４】
一実施形態では、方法は、第１の光検波器によって出力された光強度を表すデータに基づいて、第１の光強度を判定することと、第２の光検波器によって出力された光強度を表すデータに基づいて、第２の光強度を判定することと、第１の光強度が第２の光強度より大きいときに、波長が第１の光検波器の第１の光応答領域内にあると判定し、第１の光検波器によって出力された光強度を表すデータに基づいて、１つ以上の光信号の光強度又は損失を判定することと、第２の光強度が第１の光強度より大きいときに、第２の光検波器によって出力された光強度を表すデータに基づいて、１つ以上の光信号の光強度又は損失を判定することと、を含む。
【００１５】
一実施形態では、方法は、１つ以上の光信号の波長の表示を受信することを含む。一実施形態では、方法は、波長が第１の光応答領域内にあるときに、第１の光検波器に、光強度を表すデータの測定又は出力を停止するように命令することと、波長が第２の光応答領域内にあるときに、第２の光検波器に光強度を表すデータの測定又は出力を停止するように命令することと、を含む。一実施形態では、１つ以上の受信位置を判定することが、１つ以上の画像に基づいて、１つ以上の光信号が画像センサにそれぞれ衝突した、画像センサに関連する１つ以上の位置を判定することと、画像センサに関連する１つ以上の位置に基づいて、１つ以上の受信位置を判定することと、を含む。
【００１６】
一実施形態では、方法は、光ファイバケーブルの光コネクタを照明するための光を発することと、照明された光コネクタの画像を捕捉することと、画像を解析して、光コネクタの汚染レベルを判定することと、を含む。一実施形態では、光コネクタを解析することが、画像に基づいて特定された端面の数又は端面の配置に基づいて、光コネクタのタイプを判定することを含む。
【図面の簡単な説明】
【００１７】
【図１】一実施形態による光学測定装置のブロック図を示す。
【図２】一実施形態による光学測定装置の絵図を示す。
【図３】様々な光コネクタタイプの説明を示す。
【図４】光ファイバアレイの極性の説明を示す。
【図５】光コネクタから発信された光信号を受信する画像センサの説明を示す。
【図６】光コネクタのタイプを判定するための方法のフロー図を示す。
【図７】光信号の送信における光損失を判定するための方法のフロー図を示す。
【図８】光ファイバケーブルの光コネクタの極性を判定するための方法のフロー図を示す。
【図９】一実施形態による光学測定装置を示す。
【図１０】一実施形態による光学測定装置を示す。
【発明を実施するための形態】
【００１８】
図１は、一実施形態による光学測定装置１００のブロック図を示す。光学測定装置１００は、プロセッサ１０２、光検波器１０４、センサ１０６、照明源１０８、メモリ１１０、及びインターフェース１１２を含む。光検波器１０４、センサ１０６、照明源１０８、メモリ１１０及びインターフェース１１２は、プロセッサ１０２に通信可能に結合される。
【００１９】
光検波器１０４は、任意のタイプの光センサであってもよい。例えば、光検波器１０４は、１つ以上のフォトダイオードを含むフォトセンサであってもよい。光検波器１０４は、光信号を受信し、光信号の光強度を検出し、光信号又は光強度を表すデータを出力するように構成されている。光検波器１０４は、光ファイバケーブル（図示せず）の光ファイバから発信された光信号を受信し、光信号又はその光強度を表すデータを出力することができる。
【００２０】
センサ１０６は、光信号がセンサ１０６に衝突した位置を表すデータを出力するように構成された任意の装置であってもよい。例えば、センサ１０６は、光信号の画像を捕捉し、その画像を表すデータを出力する画像センサであってもよい。例えば、センサ１０６は、カメラであってもよい。センサ１０６は、光ファイバから発信された光信号の画像を捕捉するように構成されている。更に、センサ１０６は、光ファイバアレイ又はコネクタの照明された端面の画像を捕捉し、画像を表すデータを出力してもよい。
【００２１】
加えて、センサ１０６は、光学ストリップ又は光学アレイであってもよい。例えば、光学ストリップは、１ｘｎ寸法の線形フォトダイオードアレイ（例えば、インジウムガリウム砒素（ＩｎＧａＡｓ）フォトダイオードアレイ）であってもよい。センサ１０６はまた、２次元センサマトリクスであってもよい。光ストリップ又は光アレイは、光信号を受信し、光信号が光ストリップ又は光アレイに衝突した位置を表すデータを出力することができる。位置は、平面内の位置（例えば、ｘ−ｙ位置又は線に沿った位置）であってもよい。
【００２２】
照明源１０８は、任意のタイプの光源であってもよい。例えば、照明源１０８は、発光ダイオード（ＬＥＤ）又はレーザ源であってもよい。照明源１０８は、光ファイバ又は光ファイバアレイの端面又はコネクタを照明するための光を発する。端面が照明されると、端面の汚染について検査され得る。例えば、端面が照明されると、端面に塵粒子などの汚染物質が存在することが検出され得る。端面又はコネクタを照明することにより、汚染試験及びタイプ（例えば、端面の数並びにアレイのサイズ及び寸法）の判定のために画像を捕捉することが可能になる。
【００２３】
メモリ１１０は、とりわけ、読み出し専用メモリ（ＲＯＭ）、スタティックランダムアクセスメモリ（ＲＡＭ）又はダイナミックＲＡＭなどの任意のタイプのメモリであってもよい。メモリ１１０は、プロセッサ１０２によって実行される際に、プロセッサ１０２に本明細書に記載された動作／技術を実行させる、実行可能命令を格納するように構成されている。メモリ１１０はまた、光検波器１０４又は画像センサ１０６によって出力されるデータを格納することができる。
【００２４】
プロセッサ１０２は、光信号又はその光強度を表すデータを受信する。プロセッサ１０２は、光信号の送信と関連付けられた光損失を判定し、光損失をメモリ１１０に格納し、かつ／又は光損失をインターフェース１１２に出力する。光損失を出力する代わりに、プロセッサ１０２は、試験中の光ファイバへの入力として、光信号の既知の強度との比較のために光強度を出力してもよい。
【００２５】
プロセッサ１０２は、センサ１０６によって出力されたデータを受信する。例えば、データは、捕捉された光信号の画像又は光信号が衝突した位置であってもよい。プロセッサ１０２は、データに基づいて、光信号がセンサ１０６によって受信される、光ファイバケーブルの極性を判定する。プロセッサ１０２は、光ファイバの端面の汚染を検査するために、画像を評価してもよい。プロセッサ１０２は、画像に基づいて汚染検査結果（例えば、汚染レベル）を判定してもよい。プロセッサ１０２はまた、画像を表示用に出力してもよく、それによって、画像は、光学測定装置１００を使用して人員によって評価され得る。プロセッサ１０２はまた、以下により詳細に説明するように、光ファイバケーブルのコネクタのタイプを判定することができる。プロセッサ１０２は、判定された極性、汚染検査結果及び／又はコネクタのタイプをインターフェース１１２に出力する。
【００２６】
とりわけ、ディスプレイ又は通信インターフェースであり得るインターフェース１１２は、プロセッサ１０２から光損失、光強度、極性及び／又はコネクタのタイプ情報を受信する。インターフェース１１２がディスプレイである場合、インターフェースは、受信された光損失、光強度、極性、汚染検査結果及び／又はコネクタのタイプの表示をユーザに表示してもよい。インターフェース１１２が通信インターフェースである場合、インターフェース１１２は、受信された光損失、光強度、極性、汚染検査結果及び／又はコネクタのタイプの表示を別の装置に送信してもよい。
【００２７】
図２は、一実施形態による光学測定装置１００の絵図である。光学測定装置１００は、積分球１１４、光検波器１０４、照明源１０８、チャンバ１１６、及びセンサ１０６を含む。
【００２８】
積分球１１４は、反射性内部を有する中空球状キャビティであってもよい。積分球１１４は、光ファイバケーブル１２２の複数の光ファイバ１２０ａ−ｎからそれぞれ発信された、複数の光信号のうちの１つの光信号を受信するための入口ポート１１８を有する。光ファイバケーブル１２２は、光コネクタ１２４で終端してもよい。積分球１１４又はその入口ポート１１８は、光コネクタ１２４を受けるためのメカニカルインターフェース１２６を有していてもよい。光コネクタ１２４は、メカニカルインターフェース１２６に接続されてもよい。メカニカルインターフェース１２６は、光コネクタ１２４を積分球１１４に固定することができ、光ファイバケーブル１２２の複数の光ファイバ１２０ａ−ｎから発信された光ファイバ信号（又は光線）を、積分球１１４のキャビティに到達させることができる。メカニカルインターフェース１２６は、ジェンダーレスであってもよく、任意のジェンダーの光コネクタ１２４を接続することを可能にする。更に、メカニカルインターフェース１２６は、様々なサイズを有する光コネクタを受け入れるサイズ及び寸法に合わせられてもよい。
【００２９】
光検波器１０４は積分球１１４内に位置決めされる。複数の光ファイバ１２０ａ−ｎの光ファイバ１２０から発信された光信号は、反射性内部によって積分球１１４のキャビティ内に反射される。光信号は最終的に光検波器１０４に到達する。光検波器１０４ａは、本明細書で説明するように光信号の光強度を検出し、検出された強度を表すデータを出力する。
【００３０】
積分球１１４は開口１２８を有する。開口１２８は、チャンバ１１６に通じている。開口１２８は、迷光を遮断し、撮像素子（例えば、レンズ）として動作する。一実施形態では、開口１２８は、レンズ又はレンズの等価物によって置き換えられてもよい。開口１２８は、積分球１１４内で反射されている光信号が、積分球１１４を出てチャンバ１１６に入ることを可能にし得る。
【００３１】
チャンバ１１６は、暗室であってもよい。チャンバ１１６は、一端で光信号を受信し、光信号がチャンバ１１６の他端に投射できるように構成された任意の装置であってもよい。図２に示すように、チャンバ１１６の遠位端１３０は、開口１２８を介して積分球１１４を出る光を受け取る。例えば、チャンバ１１６の遠位端１３０は、積分球１１４の開口１２８を介して、積分球１１４を出る光を受け取る開口を有していてもよい。このように、チャンバ１１６及び積分球１１４は光結合される。センサ１０６は、チャンバ１１６の近位に配設されており、チャンバ１１６に入る光を捕捉するように構成されている。
【００３２】
照明源１０８は、積分球１１４内で光を発するように位置決めされてもよい。照明源１０８は、光コネクタ１２４の端面を照明する光を発してもよい。発せられた光は、光コネクタ１２４の端面に到達し、端面から反射し得る。その後、反射された光は、開口１２８及びチャンバ１１６を介してセンサ１０６に到達する。
【００３３】
センサ１０６は、光コネクタ１２４の端面の画像を捕捉してもよい。その後、センサ１０６は、画像を表すデータを、図１を参照して説明するプロセッサ１０２に出力する。プロセッサ１０２は、画像を解析してもよい。プロセッサ１０２は、端面の画像に基づいて、光コネクタ１２４のタイプを判定する。更に、プロセッサ１０２は、画像に基づいて端面の汚染レベルを判定してもよい。プロセッサ１０２は、例えば、画像処理技法を適用して、形状若しくは配置、又は画像内の他の視覚的に知覚可能な特徴に基づいて、光コネクタのタイプを判定してもよい。以下で説明するであろうように、光コネクタ１２４のタイプは、光コネクタ１２４と関連付けられた光ファイバの端面の観測された行又は列の数に少なくとも部分的に基づいて、一意に判定されてもよい。更に、プロセッサ１０２は、端面の画像に基づいて、光コネクタ１２４の端面の汚染レベルを判定してもよい。一実施形態では、チャンバの使用はなくてもよい。例えば、センサ１０６は、レンズを介して積分球１１４に光結合されてもよい。
【００３４】
一実施形態では、積分球１１４の代わりに別の光学成分が使用されてもよい。例えば、積分球１１４は、拡散体又は別の光学成分で置き換えられてもよい。
【００３５】
図３は、様々な光コネクタタイプの説明を示す。第１の光コネクタ１２４ａは、１列に１２の端面１３２のアレイを含む。したがって、第１の光コネクタ１２４ａは、端面１３２の１×１２アレイを有するものとして特徴付けられ得る。第２の光コネクタ１２４ｂは、１列に１６の端面１３２のアレイを含む。したがって、第２の光コネクタ１２４ｂは、端面１３２の１×１６アレイを有するものとして特徴付けられ得る。第３の光コネクタ１２４ｃは、それぞれが１２の端面１３２を有する２列を含む。したがって、第３の光コネクタ１２４ｃは、端面１３２の２×１２アレイを有するものとして特徴付けられ得る。
【００３６】
図２に戻って参照し、プロセッサ１０２は、光コネクタ１２４の端面の画像を評価して、光コネクタ１２４の端面の配置を判定してもよい。プロセッサ１０２は、判定された端面の配置に少なくとも部分的に基づいて、光コネクタ１２４のタイプを判定してもよい。更に、プロセッサ１０２は、観察された光コネクタ１２４のサイズ若しくはその端面、又は光コネクタ１２４の端面間の距離に少なくとも部分的に基づいて、光コネクタ１２４のタイプを判定してもよい。例えば、プロセッサ１０２は、画像を、メモリ１１０に記憶された既知の配置の画像と比較してもよい。比較に基づいて、プロセッサ１０２は、捕捉された画像との類似度が最も高い既知の画像を特定してもよい。光コネクタのタイプ又は端面の配置は、特定された既知の画像のものであると判定されてもよい。
【００３７】
センサ１０６が画像センサである場合、センサ１０６によって捕捉された１つ以上の画像を使用して、光ファイバケーブル１２２の極性を判定してもよい。センサ１０６は、複数の光ファイバケーブル１２０ａ、１２０ｂ、１２０ｃ、．．．、１２０ｎのうちの１つ以上から発信された光信号の１つ以上の画像を捕捉する。プロセッサ１０２は、光コネクタ１２４に対する光信号の受信位置を判定することができる。光ファイバケーブル１２２の極性は、光信号の判定された受信位置、及び光ファイバケーブル１２２の光ファイバに入力される光信号の既知の送信位置に少なくとも部分的に基づいて判定されてもよい。極性及び汚染レベルを判定するために発信された光信号と、電力損失又は強度測定を判定するために発信された光信号は、異なる波長を有し得る。信号は、可視光信号又は赤外線信号であってもよい。更に、センサ１０６は、可視光信号に応答してもよい。
【００３８】
更に、センサ１０６は、光学ストリップ又は光学アレイであってもよい。センサ１０６は、光信号がセンサ１０６に衝突した位置を表すデータを出力することができる。位置は、平面内の位置（例えば、ｘ−ｙ位置又は線に沿った位置）であり得る。プロセッサ１０２は、光信号がセンサ１０６に衝突した位置、及び光ファイバケーブル１２２の光ファイバに入力された光信号の既知の送信位置に少なくとも部分的に基づいて、光ファイバケーブル１２２の極性を判定してもよい。
【００３９】
図４は、光ファイバアレイの極性の説明を示す。図４には、光ファイバケーブル１２２の送信端の光コネクタ１３４が、３つの極性タイプによる光ファイバケーブル１２２の受信端の３つの光コネクタ１３６ａ、１３６ｂ、１３６ｃと共に示されている。光コネクタ１３６ａ、１３６ｂ、１３６ｃの極性とは、光ファイバケーブル１２２の送信端の光コネクタ１３４における送信位置と、光ファイバケーブルの受信端の光コネクタ１３６における受信位置との関係を指す。
【００４０】
第１の光コネクタ１３６ａは、第１の極性１３８ａ（米国国家規格協会／電気通信工業会５６８仕様（ＡＮＳＩ／ＴＩＡ−５６８）によって定義される「タイプＡ」極性として知られている）を有する。第１の極性１３８ａによれば、光信号の受信位置は、光信号の送信位置と同じである。送信及び受信位置は、光コネクタ１３４、１３６のキー１４０によって参照されてもよい。例えば、第１の位置は、キー１４０に関して最も左の位置であってもよく、第２の位置は、キー１４０に関して左から２番目の位置などであってもよい。１列の端面を含む光コネクタ１３４、１３６は図４を参照して説明されているが、他の実施形態では、光コネクタは光ファイバの端面の２つ以上の列を有し得ることに留意されたい。
【００４１】
第２の光コネクタ１３６ｂは、第２の極性１３８ｂ（「タイプＢ」極性として知られている）を有する。第２の極性１３８ｂによれば、光信号の受信位置が送信位置に対して転置される。したがって、キー１４０に対して最も左の位置で光ファイバ内に送信される光信号は、受信端の光コネクタ１３６ｂ上のキー１４０に対して最も右の位置で受信されることになる。同様に、送信時にキー１４０に対して左から３番目の位置で光ファイバ内に送信される光信号は、受信端上の右から３番目の位置で受信されることになる。
【００４２】
第３の光コネクタ１３６ｃは、第３の極性１３８ｃ（「タイプＣ」極性として知られている）を有する。第３の極性１３８ｃによれば、光信号の受信位置は送信位置に対して対ごとに転置されることになる。したがって、送信時にキー１４０に対して最も左の位置で光ファイバに送信される光信号は、キー１４０に対して左から２番目の位置で受信されることになり、その逆も同様である。同様に、送信側のキー１４０に対して左から３番目の位置で光ファイバ内に送信される光信号は、受信側の左から４番目の位置で受信されることになる。
【００４３】
図２に戻って参照し、光信号がセンサ１０６に衝突した位置を表すデータ（例えば、センサ１０６によって捕捉された１つ以上の画像）は、光コネクタ１２４内の光信号の受信位置を判定するために使用されてもよい。受信位置が一旦判定されると、光ファイバケーブル１２２の極性は、受信位置及び光信号の既知の送信位置に基づいて、プロセッサ１０２によって判定されてもよい。
【００４４】
図５は、光コネクタ１２４から発信された光信号を受信するセンサ１０６の説明を示す。説明を容易にするために、画像センサ１０６によって受信された光信号に対する開口１２８の転置効果は、図５では無視されることに留意されたい。
【００４５】
センサ１０６は、光コネクタ１２４から発信された光信号を受信することができる。センサ１０６は、光信号がセンサ１０６に衝突した位置を表すデータを出力する。データは、光コネクタ１２４から発信された光信号の１つ以上の画像であってもよい。データ又は１つ以上の画像は、各光信号について、光信号が衝突したセンサ１０６に関する位置を判定するために使用されてもよい。光信号がセンサ１０６に衝突する位置は、光コネクタ１２４上の受信位置を示す。
【００４６】
更に、データは、光信号が受信された順序を判定するために使用されてもよい。順序は、他の光信号に関する光信号の受信のタイミングに基づいて判定されてもよい。例えば、センサ１０６は、複数の画像を経時的に順次捕捉することができる。他の光信号に関連する光信号の受信の順序は、一連の画像で、光信号が特定された画像に基づいて判定されてもよい。
【００４７】
光ファイバケーブル１２２内の複数の光ファイバ１２０を試験するために、試験規則が採用されてもよい。光ファイバケーブル１２２を試験する間、光信号は、特定の順序で複数の光ファイバ１２０を介して送信されてもよい。例えば、光信号は、複数の光ファイバ１２０を介して、最も左の送信位置から最も右の送信位置まで連続して送信されてもよい。光ファイバ信号の受信順序が最も左の受信位置から最も右の受信位置までであると判定された場合、光ファイバケーブル１２２の極性は、図４を参照して説明する第１の極性１３８ａであると判定され得る。逆に、受信順序が最も右の受信位置から最も左の受信位置までであると判定された場合、光ファイバケーブル１２２の極性は、図４を参照して説明する第２の極性１３８ｂであると判定され得る。あるいは、受信順序が、送信順序に関して対ごとに転置されていると判定された場合、光ファイバケーブル１２２の極性は、図４を参照して説明する第３の極性１３８ｃであると判定され得る。
【００４８】
本明細書において試験規則として説明する送信順序及び受信順序を使用する代わりに、特定の送信位置を介して送信される光信号は、固有のシグニチャを有していてもよい。シグニチャは、光信号の変調又は光信号と関連付けられた波長に基づき得る。例えば、特定の送信位置を介して送信される光信号は、とりわけ、固有のオンオフキーイングパターンを使用して変調されてもよい。あるいは、又は加えて、特定の送信位置を介して送信される光信号は固有の波長を有していてもよい。シグニチャは、光学測定装置１００に先験的に既知であってもよい。
【００４９】
受信された光信号のシグニチャは、センサ１０６によって捕捉された画像に基づいて判定されてもよい。例えば、受信された光信号のオンオフキーイングパターンは、センサ１０６によって捕捉された一連の画像に基づいて特定されてもよい。更に、可視光スペクトル内で受信された光信号の波長は、受信された光信号の有色画像に基づいて特定されてもよい。
【００５０】
受信された光信号のシグニチャは、光信号の受信位置を光信号の既知の送信位置と相関させるために使用されてもよい。本明細書で説明するように、光信号の受信位置は、光信号が衝突したセンサ１０６上の場所又は位置に基づいて判定されてもよい。その後、送信及び受信位置が、光ファイバケーブル１２２の極性を判定するために使用される。
【００５１】
図６は、光コネクタ１２４のタイプを判定するための方法６００のフロー図を示す。６０２では、図１を参照して説明するプロセッサ１０２などのプロセッサは、図１を参照して説明する照明源１０８などの照明源に、光コネクタ１２４を照明する光を発するための命令を送る。６０４では、図１を参照して説明するセンサ１０６などの画像センサは、光コネクタ１２４の画像を捕捉する。画像センサは、捕捉された画像を表すデータをプロセッサに出力する。６０６では、プロセッサは画像を評価して、光コネクタのコネクタタイプを判定する。
【００５２】
例えば、プロセッサは、画像をメモリ１１０に記憶された既知の配置の画像と比較することができる。比較に基づいて、プロセッサ１０２は、捕捉された画像との類似度が最も高い既知の画像を特定してもよい。光コネクタのタイプは、特定された既知の画像のものであると判定されてもよい。６０８では、プロセッサは、光コネクタのタイプを表すデータを、図１を参照して説明するインターフェース１１２のなどのインターフェースに出力する。
【００５３】
図７は、光信号の送信における光損失を判定するための方法７００のフロー図を示す。７０２では、図１を参照して説明した光検波器１０４などの光検波器は、光信号を受信し、受信された光信号の光強度を判定する。７０４では、光検波器は、光信号の判定された強度を表すデータをプロセッサに出力する。７０６では、プロセッサは、受信された光信号の判定された光強度及び送信されたときの光信号の既知の光強度に基づいて、光信号の光損失を判定する。７０８では、プロセッサは、図１を参照して説明したインターフェース１１２などのインターフェースに、光損失を表すデータを出力する。
【００５４】
図８は、光ファイバケーブルの光コネクタの極性を判定するための方法８００のフロー図を示す。８０２では、画像センサは、光ファイバケーブルの１つ以上の光ファイバから発信された１つ以上の光信号の１つ以上の画像を捕捉する。画像センサは、１つ以上の画像を表すデータをプロセッサに出力する。８０４では、プロセッサは、１つ以上の画像に基づいて、１つ以上の光信号と関連付けられた１つ以上の受信位置をそれぞれ判定する。例えば、プロセッサは、光信号が画像センサに衝突した位置に少なくとも部分的に基づいて、１つ以上の受信位置を判定することができる。
【００５５】
８０６では、プロセッサは、１つ以上の光信号と関連付けられた１つ以上の送信位置をそれぞれ判定する。送信位置は、１つ以上の光信号が送信されることが分かっていた順序に関連して、１つ以上の光信号が受信された順序に基づいて判定されてもよい。送信位置は、１つ以上の光信号にそれぞれ関連付けられた１つ以上のシグニチャに少なくとも部分的に基づいて判定され、かつ受信位置と相関されてもよい。１つ以上のシグニチャは、捕捉された画像に基づいて判定されてもよい。８０８では、プロセッサは、１つ以上の光信号のそれぞれの送信及び受信位置に基づいて光コネクタの極性を判定する。８１０では、プロセッサは光コネクタの極性を表すデータを出力する。
【００５６】
図９は、一実施形態による光学測定装置１００を示す。図２の光学測定装置１００を参照して説明した光学測定装置１００の同様の要素は、同じ参照番号を有する。光学測定装置１００の照明源１０８は、チャンバ１１６内に位置決めされる。ビームスプリッタ１４２もチャンバ１１６内に位置決めされる。ビームスプリッタ１４２は、照明源１０８によって発せられた光を光コネクタ１２４上に反射する。ビームスプリッタ１４２は、光コネクタ１２４から反射した光がビームスプリッタを通過してセンサ１０６に到達することを可能にする。加えて、光学測定装置１００は、レンズ１４４を備えている。レンズ１４４は、開口１２８に位置決めされる。レンズ１４４は、積分球１１４から暗室１１６へ、光を方向付けして集束させるのに役立つ。レンズ１４４は、光コネクタ１２４の前面画像をセンサ１０６上に集束させる。試験中の光ファイバがアクティブであるとき、光はセンサ１０６に集束され、極性が判定され得る。照明源１０８がアクティブであるとき、コネクタ面の汚染（レンズ１４４によって集束される）は、センサ１０６によって見ることができる。
【００５７】
一実施形態では、センサ１０６は、光信号がセンサ１０６に入射する場所の位置（ｘ、ｙ）と光信号の強度との両方を感知するセンサアレイであってもよい。センサ１０６は強度測定を行うことができるため、光検波器１０４の使用はなくてもよく、センサ１０６は、位置及び強度判定の両方に使用されてもよい。センサ１０６は、暗室１１６の有無にかかわらず使用されてもよい。暗室１１６が使用されない場合、センサ１０６は開口１２８に光結合されてもよい。センサ１０６の例には、浜松Ｇ１２４３０シリーズＩｎＧａＡｓフォトダイオードアレイが含まれる。
【００５８】
光ファイバケーブル１２２は、マルチモード光ファイバケーブルであってもよく、光ファイバケーブル１２２の光ファイバ１２０ａ−ｎは、マルチモード光ファイバであってもよい。光ファイバケーブル１２２は、あるいは、シングルモード光ファイバケーブルであってもよい。マルチモード光ファイバケーブルとして、光ファイバケーブル１２２（又はその光ファイバ１２０ａ−ｎ）は、広領域の波長を有する光信号を搬送することができる。例えば、光ファイバケーブル１２２は、とりわけ、８５０ナノメートル（ｎｍ）又は１３００ｎｍの波長を搬送することができる。逆に、シングルモード光ファイバは、マルチモード光ファイバよりも長い波長を有する光信号を搬送することができる。例えば、シングルモード光ファイバは、とりわけ、１３１０又は１５５０ｎｍの波長を有する光信号を搬送することができる。
【００５９】
光学測定装置１００は、マルチモード光ファイバの使用波長領域などの、広領域の波長にわたって光信号の光強度を検出するように構成されていてもよい。光学測定装置１００はまた、マルチモード光ファイバケーブルの極性を判定してもよい。
【００６０】
図１０は、一実施形態による光学測定装置を示す。図１０を参照して説明する光学測定装置１００の同様の要素は、図２を参照して説明した光学測定装置１００の要素と同じ参照番号を有する。光学測定装置１００は、２つの光検波器１０４ａ、１０４ｂを含む。光学測定装置１００は本明細書では、２つの光検波器１０４ａ、１０４ｂを含むと説明するが、光学測定装置１００は、任意の数の光検波器を含んでもよいことに留意されたい。図１を参照して説明した光検波器１０４と同様に、２つの光検波器１０４ａ、１０４ｂはプロセッサ１０２に通信可能である。光検波器１０４ａ、１０４ｂはそれぞれ、光信号を受信し、光信号の光強度を検出し、光信号又は光強度を表すデータをプロセッサ１０２に出力するように構成されている。
【００６１】
光検波器１０４ａ、１０４ｂは、異なるタイプのものであってもよく、それら（又はそれらのそれぞれの光感知エリア）は、とりわけ、シリコン（Ｓｉ）又はインジウムガリウム砒素（ＩｎＧａＡｓ）のなどの異なる材料で作られていてもよい。光検波器１０４ａ、１０４ｂは、異なる波長応答度又は光感度を有していてもよい。例えば、第１の光検波器１０４ａは、ＩｎＧａＡｓ光検波器であってもよく、したがって、１０００ｎｍと１５００ｎｍとの間の第１の波長領域の波長に光応答し得る。第２の光検波器１０４ｂは、シリコン光検波器であってもよく、５００ｎｍから１０００ｎｍの第２の波長領域の波長に光応答し得る。第１の領域及び第２の領域は異なっており、部分的に重複していても重複していなくてもよい。
【００６２】
光検波器１０４ａ、１０４ｂが、例えばワット当たりのアンペア（Ａ／Ｗ）で測定されたような、閾値を超える応答度を有する場合、光検波器１０４ａ、１０４ｂは波長に応答すると言える。閾値は、とりわけ、０．２Ａ／Ｗとすることができる。光検波器１０４ａ、１０４ｂは、光検波器１０４ａ、１０４ｂの波長に対する応答度が閾値を超える場合、波長に応答すると言える。逆に、光検波器１０４ａ、１０４ｂは、光検波器１０４ａ、１０４ｂの波長に対する応答度が閾値を超えない場合、波長に非応答性であると言える。
【００６３】
０．２Ａ／Ｗ以上の応答度は、光信号（及びその関連する光強度）を確実に検出することを可能にする。例えば、応答度が０．２Ａ／Ｗ未満である場合、十分な光信号パワーが光検波器１０４ａ、１０４ｂによって受信されないため、光検波器１０４ａ、１０４ｂは、光検波器１０４ａ、１０４ｂに入射する光信号の光強度を確実に検出することができない。
【００６４】
光ファイバケーブル１２２がマルチモードケーブルである場合、それは８５０ｎｍ又は１３００ｎｍなどの様々な波長を有する光信号を搬送するために使用されてよい。したがって、光ファイバケーブル１２２は、それが使用され得る波長にわたって試験され得る。波長間の差（上記の例では４５０ｎｍ）のために、マルチモードケーブル又はその光ファイバを介して送信されるすべての波長に応答する単独で実行可能な光検波器が市場に存在しないことがある。
【００６５】
光検波器１０４ａ、１０４ｂを使用することにより、光学測定装置１００は、様々な波長の光信号の光強度を確実に検出することができる。例えば、１０００ｎｍから１５００ｎｍの波長に光応答する第１の光検波器１０４ａは、１３００ｎｍの波長を有する光試験信号などの、１０００ｎｍから１５００ｎｍの波長を有する光試験信号の光強度を検出するために使用され得る。更に、５００ｎｍから１０００ｎｍの領域の波長に光応答する第２の光検波器１０４ｂは、８５０ｎｍの波長を有する光試験信号などの、５００ｎｍから１０００ｎｍの波長を有する光学試験信号の光強度を検出するために使用され得る。
【００６６】
図１０に示すように、光検波器１０４ａ、１０４ｂは積分球１１４内に位置決めされる。複数の光ファイバ１２０ａ−ｎのうちの光ファイバ１２０から発信された光信号は、積分球１１４の反射性内部によって積分球１１４のキャビティ内で反射される。光信号は最終的に光検波器１０４ａ、１０４ｂに到達する。
【００６７】
光検波器１０４ａ、１０４ｂは、本明細書で説明するように、光信号の光強度を検出し、検出された強度を表すデータを出力する。光検波器１０４ａ、１０４ｂの一方（その応答度の領域は光信号の波長を含む）は、光信号の波長に対して異なる応答度を有するため、他方の光検波器１０４ａ、１０４ｂより高い光強度を表す電気信号（又はデータ）を出力する。
【００６８】
本明細書で説明するように、光検波器１０４ａ、１０４ｂはそれぞれ、検出された光強度を表すデータをプロセッサ１０２に出力する。プロセッサ１０２は、光検波器１０４ａ、１０４ｂのそれぞれによって出力された検出された光強度を表すデータを受信することができる。プロセッサ１０２は、光検波器１０４ａ、１０４ｂのそれぞれによって出力された検出された光強度に基づいて、送信された光信号と関連付けられた光損失を判定し、光損失をメモリ１１０に格納し、かつ／又は光損失をインターフェース１１２に出力する。例えば、プロセッサ１０２は、検出された光強度の両方を比較し、検出された光強度を表すものとして２つの光強度のうちの高い方を選択することができる。２つの検出された光強度のうちの高い方の選択は、検出された強度の低い方が、低い光強度ではなく、関連付けられた光検波器の低い応答度に起因するという事実によることがある。より高い応答度を有する光検波器１０４ａ、１０４ｂは、より高い検出された強度と関連付けられる。
【００６９】
あるいは、プロセッサ１０２は、光信号の波長の表示を受信してもよく、又は光信号の波長を判定してもよい。波長の表示は、光信号を発する試験装置から受信され得る。プロセッサ１０２は、光強度又は損失を判定するために、対応する光検波器１０４ａ、１０４ｂ（又は波長に対してより高い応答度を有する光検波器１０４ａ、１０４ｂ）によって出力されたデータを使用することができる。
【００７０】
例えば、光信号の波長が第１の光検波器１０４ａの第１の波長領域内にある場合、プロセッサ１０２は、光信号強度又は損失を判定するために、第１の光検波器１０４ａによって出力されたデータを使用することができる。逆に、光信号の波長が第２の光検波器１０４ｂの第２の波長領域内にある場合、プロセッサ１０２は、光信号強度又は損失を判定するために、第２の光検波器１０４ｂによって出力されたデータを使用することができる。
【００７１】
プロセッサ１０２は、光信号の波長を含まないそれぞれの波長領域を有する一方の光検波器１０４ａ、１０４ｂによって出力されたデータを無視することができる。あるいは、プロセッサ１０２が一方の光検波器１０４ａ、１０４ｂからデータを受信しないように、プロセッサ１０２は、一方の光検波器１０４ａ、１０４ｂをオフにするか、又は一方の光検波器１０４ａ、１０４ｂに、光強度の測定若しくは出力を停止するように命令することができる。別の代替として、プロセッサ１０２が、光信号の波長が一方の光検波器１０４ａ、１０４ｂの応答領域を外れていると判定した場合に、プロセッサ１０２は、光信号の波長を含まないそれぞれの波長領域を有する一方の光検波器１０４ａ、１０４ｂに、データを出力しないように指示することができる。したがって、プロセッサ１０２は、それぞれの領域が光信号の波長を含む光検波器１０４ａ、１０４ｂからのデータのみを受信して評価することができる。
【００７２】
積分球１１４のキャビティ内の光信号の反射は、信号の強度又はパワーを減少させることに留意されたい。したがって、信号の波長に対してより高い応答度を伴う光検波器１０４ａ、１０４ｂを使用することは、反射から生じる信号の強度又はパワーの劣化を打ち消すことに有利であり得る。
【００７３】
図１０に示すように、積分球１１４のキャビティ内で反射された光信号がセンサ１０６に入射するように、センサ１０６は積分球１１４内に位置決めされてよい。センサ１０６は、光信号がセンサ１０６に入射する位置を表すデータを出力することができる。データは、本明細書で説明するように、光ファイバケーブル１２２の極性を判定するために使用されてもよい。
【００７４】
図１０に示す光学測定装置１００はチャンバ１１６を含まないが、様々な実施形態では、積分球１１４を出る光信号が開口を介してチャンバに到達するように、チャンバが提供されてもよい。
【００７５】
光学測定装置１００は、本明細書で説明するように、照明源（図１０には図示せず）を含むことができる。照明源は、光ファイバケーブル１２２の光コネクタ１２４を照明する光を発することができる。画像センサであってもよいセンサ１０６は、照明された光コネクタ１２４の画像を捕捉し、画像をプロセッサ１０２に出力することができる。本明細書で説明するように、プロセッサ１０２は画像を受信して解析することができる。例えば、プロセッサ１０２は、画像を解析し、光コネクタ１２７の汚染レベル又は光コネクタのタイプを判定することができる。プロセッサ１０２は、画像から特定された光ファイバケーブルの端面の数又は端面の配置に基づいて、光コネクタのタイプを判定することができる。
【００７６】
上述の様々な実施形態は、更なる実施形態を提供するために組み合わせられてもよい。
【００７７】
上記の説明を考慮すれば、実施形態にこれら及び他の変更を行うことができる。概して、以下の特許請求の範囲では、使用される用語は、特許請求の範囲を本明細書及び特許請求の範囲に開示された特定の実施形態に限定するものと解釈されるべきではないが、かかる特許請求の範囲に権利が与えられた等価物の全範囲と共にすべての考えられる実施形態を含むと解釈されるべきである。したがって、特許請求の範囲は、本開示によって限定されない。
【図１】
2018194540.tif 000003
【図２】
2018194540.tif 000004
【図３】
2018194540.tif 000005
【図４】
2018194540.tif 000006
【図５】
2018194540.tif 000007
【図６】
2018194540.tif 000008
【図７】
2018194540.tif 000009
【図８】
2018194540.tif 000010
【図９】
2018194540.tif 000011
【図１０】
2018194540.tif 000012
【外国語明細書】
2018194540000001.pdf